(57)【要約】  一以上の光源を有する一以上の回転部材を含み、当該一以上の光源は前記回転部材に搭載又はその他の方法で固定されている携帯発光ディスプレイ装置。前記一以上の回転部材はモータに結合されている。前記モータと前記光源は一以上のコントローラに各々電気的に結合され、それは、前記モータが前記一以上の回転部材を回転する速度を制御すると共に、前記発光源の全て又は一以上の発光周波数及び／又は強度、若しくは、それらの組み合わせを制御し、視覚効果を形成する。
2005526554.tif 000002
【特許請求の範囲】
【請求項１】
一以上の発光源を有する一以上の回転部材を有する携帯発光ディスプレイ装置であって、前記発光源は前記一以上の回転部材に搭載又はその他の方法で固定され、前記一以上の回転部材はモータに結合され、
前記モータと前記一以上の発光源は一以上のコントローラに各々電気的に結合され、前記一以上のコントローラは、前記モータが前記一以上の回転部材を回転する速度を制御すると共に前記発光源の全て又は一以上の発光周波数及び／又は強度、若しくは、それらの組み合わせを制御し、視覚効果を形成する携帯発光ディスプレイ装置。
【請求項２】
一以上の従来のバッテリを有する電源を更に有する請求項１記載の装置。
【請求項３】
前記電源と前記モータとの間に電気的に結合されたスイッチを更に有する請求項２記載の装置。
【請求項４】
前記一以上の回転部材は円状回転部材を含む請求項１記載の装置。
【請求項５】
前記一以上の回転部材は矩形状回転部材を含む請求項１記載の装置。
【請求項６】
前記一以上の回転部材はハート状回転部材を含む請求項１記載の装置。
【請求項７】
前記一以上の回転部材は星状回転部材を含む請求項１記載の装置。
【請求項８】
前記一以上の発光源は、一以上の発光ダイオードを有する請求項１記載の装置。
【請求項９】
前記一以上の発光源は、一以上の白熱バルブを有する請求項１記載の装置。
【請求項１０】
前記一以上の発光源は、一以上の蛍光バルブを有する請求項１記載の装置。
【請求項１１】
前記一以上の発光源は、一以上のネオンバルブを有する請求項１記載の装置。
【請求項１２】
前記一以上の発光源は、一以上の液晶バルブを有する請求項１記載の装置。
【請求項１３】
前記一以上のコントローラは集積回路からなる請求項１記載の装置。
【請求項１４】
前記一以上のコントローラはソフトウェアプログラムからなる請求項１記載の装置。
【請求項１５】
前記視覚効果は一以上の文字の出現を含む請求項１記載の装置。
【請求項１６】
前記一以上の回転部材、前記モータ及び前記一以上のコントローラを囲うための筐体を更に有する請求項１記載の装置。
【請求項１７】
前記筐体は、前記一以上の回転部材を囲うための透明カバーを有する請求項１６記載の装置。
【請求項１８】
前記筐体は、前記モータと前記一以上のコントローラを収納するためのハンドルアッセンブリを有する請求項１６記載の装置。
【請求項１９】
前記コントローラは、前記一以上の発光源の前記発光周波数を制御する請求項１記載の装置。
【請求項２０】
前記コントローラは、前記一以上の発光源の前記発光強度を制御する請求項１記載の装置。
【請求項２１】
前記コントローラは、前記一以上の回転部材の前記回転速度を制御する請求項１記載の装置。
【請求項２２】
輪状の回転部材であって、前記輪は複数の発光ダイオードを有し、当該複数の発光ダイオードは前記輪に搭載又はその他の方法で固定され、前記回転部材はモータに結合されている回転部材と、
一以上の従来のバッテリを有する電源とを有する携帯発光ディスプレイ装置であって、
前記モータ及び前記複数の発光ダイオードは集積回路に結合され、
前記集積回路は前記複数の発光ダイオードの前記発光周波数及び／又は強度、前記回転部材の回転速度、若しくは、それらの組み合わせを制御し、視覚効果を形成する携帯発光ディスプレイ装置。
【請求項２３】
前記回転部材の周囲に沿って等距離で、前記複数の発光ダイオードは前記回転部材に搭載又はその他の方法で固定されている請求項２２記載の装置。
【請求項２４】
前記電源と前記モータとの間に電気的に結合されているスイッチを更に有する請求項２２記載の装置。
【請求項２５】
前記回転部材、前記モータ及び前記集積回路を囲うための筐体を更に有する請求項２２記載の装置。
【請求項２６】
前記筐体は、前記回転部材を囲うための透明球状カバーを有する請求項２２記載の装置。
【請求項２７】
前記筐体は、前記モータと前記集積回路と前記電源を収納するためのハンドルアッセンブリを有する請求項２２記載の装置。
【請求項２８】
前記視覚効果は三次元球の出現を含む請求項２２記載の装置。
【請求項２９】
前記視覚効果は、前記回転部材の前記回転方向とは反対の方向に移動する前記発光ダイオードの出現を含む請求項２２記載の装置。
【請求項３０】
前記視覚効果は、移動が遅くなった前記発光ダイオードの出現を含む請求項２２記載の装置。
【請求項３１】
前記視覚効果は、移動しない前記発光ダイオードの出現を含む請求項２２記載の装置。
【請求項３２】
前記回転部材は、複数の同心輪を有し、当該同心輪は各々複数の発光ダイオードを含み、当該複数の発光ダイオードは前記同心輪に搭載されたか又は他の方法で固定されている請求項２２記載の装置。
【請求項３３】
前記視覚効果は複数の三次元球の出現を含む請求項３２記載の装置。
【請求項３４】
前記視覚効果は、前記複数の同心輪の前記回転方向とは反対の方向に移動する前記発光ダイオードの出現を含む請求項３２記載の装置。
【発明の詳細な説明】
【関連出願への相互参照】
【０００１】
本出願は、ここで参照して結合される２００２年３月１２日に提出された米国仮出願第６０／３６３，７６９号の利益を主張する。
【技術分野】
【０００２】
本出願は、独自の、及び／又は、心地よい視覚効果を形成可能な携帯発光ディスプレイに関する。
【背景技術】
【０００３】
発光ディスプレイ装置は、何年もの間、多くの形状、形態及び形式を採用してきた。かかる装置のある目的は子供の想像力をつかむことである。子供は標準の懐中電灯を玩具として使用することができるが、子供に有意義である使用が主としてないために、斬新性は直ちに失われるだろう。かかる装置の別の目的は、遠距離又は夜間に容易に認識可能な独自の視覚表示を形成することである。
【０００４】
ハンドヘルドの発光杖、トゥワラー、及び、発光キネマチック（ｋｉｎｅｍａｔｉｃ）ディスプレイの使用は従来技術において既知である。かかる従来技術装置は、米国特許第５，０３０，１６０号、５，０４１，９４７号、５，１９０，４９１号、５，３０２，９６５号及び５，４２２，７９６号に記載されている。
【０００５】
背景技術に示されているように、発光ディスプレイ装置を改良しようとする努力が継続的になされている。しかし、本発明に付随する利益を与える従来技術はない。また、従来の特許及び商業技術は、ここで開示されて請求されているように配置構成される、本発明の構成要素の組み合わせを示唆していない。
【０００６】
従って、別個かつ独自の視覚効果を与え、それによって、娯楽玩具として使用されると装置の利用価値を高めるか、又は、遭難信号などの他の用途に利用可能な光の、容易に検出されるパターンとしてのその使用を強める、改良された発光ディスプレイ装置に対する継続的な需要が存在することを理解することができる。この点において、本発明はこの需要を実質的に満足している。
【０００７】
本発明は、その所期の目的、目標及び長所を、新規、有用かつ非自明の構成要素の組み合わせを通じて、最少の機能部材を利用して、相応の製造コストで、直ちに入手可能な材料を使用することによって達成する。
【発明の開示】
【課題を解決するための手段】
【０００８】
本発明は、発光ディスプレイ装置に係る。特に、本発明は、複数の発光源が搭載された回転部材を回転することによって様々な独自の視覚効果を形成する携帯発光ディスプレイ装置に関する。
【０００９】
好ましい実施形態においては、本発明は、モータに電気的に接続された電源を有するハンドルアッセンブリを有する。モータは、複数の発光源を有する回転部材に結合され、複数の発光源はそれに結合されている。モータは、発光源のそれぞれに電気的に結合されているコントローラに電気的に結合されている。好ましい実施形態においては、コントローラは、回転部材の回転速度、及び／又は、回転部材の個々の発光源の発光パターン、若しくは、それらの組み合わせを制御することができる。好ましい実施形態においては、コントローラは、複数の速度で回転部材を回転するために所定の時系列でモータを制御すると共に、発光源の発光順序及び／又は強度、若しくは、それらの組み合わせを変更するのに使用可能な集積回路（ＩＣ）である。
【００１０】
本発明の発光ディスプレイ装置は、例えば、娯楽玩具又は、例えば、遭難信号を与えるなどの通信信号装置として、若しくは、斬新な汎用目的で使用される独自の視覚的に心地よい発光効果を与える。
【００１１】
そこで、本発明の目的は改良された発光ディスプレイ装置を提供することである。
【００１２】
本発明の他の目的及び特徴は、添付図面と関連して考慮される、以下の詳細な説明によって明らかになるであろう。しかし、図面は、本発明を限定する定義としてではなく、例示的目的のためにのみ企図され、添付の請求の範囲への参照がなされなければならないことを理解しなければならない。
【図面の簡単な説明】
【００１３】
図面は、範囲を定義するものではなく単なる例示的なもので、幾つかの図に亘って同様の参照符号は同様の構成要素を示す。
【図１】本発明の第１の好ましい実施形態に従って構成された携帯発光ディスプレイ装置の概略図である。
【図２】本発明の第２の好ましい実施形態に従って構成された携帯発光ディスプレイ装置の概略図である。
【図３】本発明の第３の好ましい実施形態に従って構成された携帯発光ディスプレイ装置の概略図である。
【図４】本発明の第４の好ましい実施形態に従って構成された携帯発光ディスプレイ装置の概略図である。
【発明を実施するための最良の形態】
【００１４】
本発明は、娯楽、注意の喚起、通信、及び／又は、一般の斬新性のために使用可能な、独自の、及び／又は、視覚的に心地よい発光効果を形成可能な発光ディスプレイ装置に関する。特に、本発明は、特定の位置で、回転、回動又は移動する部材に沿って搭載又はその他の方法で固定された複数の発光源を利用する視覚的に心地よい発光ディスプレイを形成する携帯発光ディスプレイ装置に係る。
【００１５】
この点に関して、本発明の一実施形態を説明する前に、本発明はその用途が以下の説明に記載され又は図面に示された構成要素の構成の詳細や配置に限定されないことを理解しなければならない。本発明は、他の実施形態にも適用可能で、様々な方法で実施及び実行可能である。また、ここで使用される言い回しや用語は説明の目的のためであって限定的に解釈されてはならないことを理解しなければならない。
【００１６】
例えば、以下に更に説明されるように、本発明は、特定の種類又は数の回転部材又は発光源に限定されず、異なる実施形態をも包含し、回転部材が数、形状及び大きさにおいて異なり、発光源が特定用途の設計選択の問題として当業界で既知の小さな光源であってもよい。かかる発光源の特定の非限定的な例は、発光ダイオード（ＬＥＤ）、白熱光、蛍光、レーザ、液晶ディスプレイ、ネオン光などを含むが、これらに限定されるものではない。
【００１７】
同様に、本発明は特定の種類や数のコントローラや電源に限定されない。コントローラや電源の実際の種類や数は特定用途の設計選択の問題として変化し得る。
【００１８】
本発明の好ましい実施形態においては、図１に示すように、一般明辞において、携帯発光ディスプレイ装置１０は、ハンドルアッセンブリ部４０と発光部１００とを有する。好ましい実施形態においては、ハンドルアッセンブリ部４０は、モータ４２と、コントローラ４４と、スイッチ４８と、電源４６とを有する。好ましい実施形態においては、発光部１００は、複数の発光源２２を有する回転部材２０を有し、複数の発光源２２は回転部材２０上に搭載されるか又は他の方法で固定され、回転部材２０は透明カバー２４に囲まれる。シャフト３０は、ハンドルアッセンブリ部４０内のモータ４２から発光部１００内の回転部材２０まで延在する。
【００１９】
この好ましい実施形態の発光ディスプレイ装置１０のハンドルアッセンブリ部４０について以下により詳細に説明する。好ましい実施形態においては、ハンドルアッセンブリ部４０は、シャフト３０に機械的に結合されたモータ４２を含む。コントローラ４４は、モータ４２に電気的に結合される。電源４６は、好ましい実施形態では一以上のバッテリを有し、モータ４２に電気的に結合される。スイッチ４８は、モータ４２と電源４６との間に電気的に結合される。スイッチ４８が使用されると、電源４６とモータ４２との間に電気回路を形成し、それはモータ４２に電力を供給し、シャフト３０と回転部材２０の回転をもたらす。また、コントローラ４４は、電源４６とモータ４２と発光源２２の両方との間に電気的に結合されている。以下に詳細に説明するように、コントローラ４４は、モータ４２が回転部材２０を回転又は回動する速度を変更することができ、全ての又は一以上の発光源２２を照明するための強度及び／又は時系列、若しくは、それらの組み合わせを変更することもできる。
【００２０】
集積回路は当業界で周知である。好ましい実施形態においては、コントローラ４４は、モータ４２と発光源２２の各々の両方に電気的に結合されている集積回路（ＩＣ）であり、回転部材２０の回転速度と発光源２２の全て又は一以上の発光周波数及び／又は光強度の両方を制御することができる。好ましい実施形態においては、コントローラ４４は、モータ４２の回転速度及び／又は発光源２２の発光構成を制御可能な特定用途の設計選択の問題として当業界で既知のいかなる種類のＩＣであってもよい。好ましい実施形態においては、コントローラ４４は、全て又は一以上の発光源２２の強度及び／又は発光順序を制御することができる。例えば、コントローラ４４は、特定の時に全ての又は選択された幾つかのみの発光源２２を照明してもよいし、又は、所与の時に全ての又は選択された幾つかのみの発光源２２の強度を変更し、多数の異なる視覚効果を与えてもよい。また、コントローラ４４は、多数の視覚効果を同様に与えるために、回転部材２０の回転速度を変更してもよい。また、コントローラ４４は、本発明の発光ディスプレイ装置が提供可能な多数の視覚効果を拡張するための任意の数の組み合わせを行ってもよい。代替的な好ましい実施形態においては、コントローラはソフトウェアなどから構成され、それはモータの回転速度や発光源の発光周波数及び／又は強度を制御するように設計される。更に別の代替的な実施形態においては、回転部材２０の回転速度と一以上の発光源２２の発光周波数及び／又は光強度、若しくは、それらの組み合わせを独立して制御する一以上のコントローラ４４が存在する。
【００２１】
本発明の発光源２２を有する回転部材２０は、幾つかの形状の一つを採用することができる。本発明の好ましい実施形態においては、図１に示すように、回転部材２０は、複数の発光源２２を含む円輪形状の単一の回転部材であり、複数の発光源２２は円輪に搭載されているか、その他の方法で固定されている。この好ましい実施形態においては、回転部材２０は、回転輪２０に沿って互いに等距離に搭載された１４個の多色発光ダイオード（ＬＥＤ）である発光源２２を含む。本実施形態においては、図１を参照するに、例示的に、第１のＬＥＤは回転輪２０の底部内周の、輪がシャフト３０に結合されている位置に搭載されている。残りの１３個のＬＥＤは回転輪２０の外周に沿って等距離に搭載されている。もちろん、ＬＥＤの実際の数と輪２０の周りのそれらの特定の姿勢は設計選択の問題として変更可能である。ＬＥＤの色彩は、設計選択の問題として画一的であってもよいし変更可能であってもよく、いかなる特定の回転部材２２に使用される発光源２２の種類も設計選択の問題として組み合わせ可能である。
【００２２】
上述したように、コントローラ４４は、回転部材２０の回転速度と発光源２２の周波数及び／又は強度、若しくは、それらの組み合わせの変化を特定用途の設計選択の問題として制御することができる。回転速度及び／又は周波数若しくは強度の変化は、回転部材２０がその軸周りに回転するにつれて、光学的に心地よい効果を形成する。特に、図１に示す好ましい実施形態においては、発光源２２の各々が動作可能にされると、発光源２２は、６つの平行多色線と球の先端と底部に単一の回転光とを有する三次元球の像を形成する。回転速度が変更されると、又は、様々な発光源の強度又は動作が変更されると、発光源が回転部材２０の回転方向とは反対の方向に回転するという状況などの異なる効果が達成される。達成される別の効果は球を含む破線の出現である。更に別の効果は、発光源が遅くなったりまったく回転しなくなったりする状況である。当業者は、本発明の検討後に、本発明の本旨から逸脱せずに、いかなる言語においても文字、単語、節又は文などの出現を含むがこれらに限定されない幾つかの別の視覚効果が想像されることを理解するであろう。
【００２３】
図２は、回転部材５２が円輪形状の単一の回転部材であり、発光源５４が回転部材５２の０°乃至９０°の円弧５６と、１８０°乃至２７０°の円弧５８を含む部分に沿って搭載されているＬＥＤである、本発明の第２の好ましい実施形態を示している。本実施形態においては、例示的に、４つのＬＥＤが、回転部材５２の外周に沿って０°乃至９０°の円弧５６に沿って等距離に搭載されている。更に４つのＬＥＤが、回転部材５２の外周に沿って１８０°乃至２７０°の円弧５８に沿って等距離に搭載されている。本明細書に照らして、図１に関して上述されたものなど異なる光学的効果が、図３に示すようにＬＥＤ又はその他の発光源を配置したり、コントローラ４４を回転輪５２の回転速度を変更したり、及び／又は、ＬＥＤに関連する発光順序及び／又は強度を変更したりするのに使用することによって、どのように達成可能であるかは当業者には自明であろう。
【００２４】
図３は、回転部材６２が単一の円輪であり、発光源６４が輪の半分の外周に沿って、例えば、回転輪６２の０°乃至１８０°円弧６６を有する部分に沿って等距離に搭載されたＬＥＤである、本発明の第３の好ましい実施形態を示している。本実施形態においては、例示的に、７つのＬＥＤが回転輪６２の外周に沿って０°乃至１８０°円弧６６に沿って等距離に搭載されている。本明細書に照らして、図１及び２に関して上述されたものなど異なる光学的効果が図３に示すように発光源６４を配置したり、コントローラ４４を回転輪６２の回転速度を変更したり、及び／又は、発光源６４に関連する発光順序及び／又は強度を変更したりするのに使用することによって、どのように達成可能であるかは当業者には自明であろう。
【００２５】
図４は、発光部が増加する半径の一連の同心輪を含み、発光源が同心輪に搭載又はその他の方法で固定されている、本発明の更に別の好ましい実施形態を示している。この好ましい実施形態においては、回転部材は、それぞれがそれに等距離に搭載された複数の発光源７８を含む３つの同心輪７２、７４、７６を含む。好ましい実施形態においては、３つの同心輪が単一の回転部材を形成している。例示的に、６つのＬＥＤが回転輪７２の外周に沿って搭載されている。図４に示すように、６つのＬＥＤの３つが、最内輪７２の外周に沿って０°乃至９０°円弧８０に沿って等距離に搭載され、残りの３つのＬＥＤが最内輪７２の外周に沿って１８０°乃至２７０°円弧８２に沿って等距離に搭載されている。同様に、例示的に、８つのＬＥＤが中央輪７４の外周に沿って搭載され、その４つが中央輪７４の外周に沿って９０°乃至１８０°円弧８６に沿って等距離に搭載され、残りの４つのＬＥＤが中央輪７４の外周に沿って２７０°乃至３６０°円弧８４に沿って等距離に搭載されている。最後に、例示的に、１０個のＬＥＤが外輪７６の外周に沿って搭載され、その５つが外輪７６の外周に沿って０°乃至９０°円弧８８に沿って等距離に搭載され、残りの５つのＬＥＤが外輪７６の外周に沿って１８０°乃至２７０°円弧８４に沿って等距離に搭載されている。本明細書に照らして、図１、２及び３に関して上述されたものなど異なる光学的効果が図４に示すように発光源７８を配置したり、コントローラ４４を同心輪７２、７４及び７６の回転速度を変更したり、及び／又は、発光源７８に関連した発光順序及び／又は強度を変更するのに使用することによって、どのように達成可能であるかは当業者には自明であろう。
【００２６】
当業者が理解するであろうように、本発明の図１乃至図４は、本発明の多くの可能な実施形態のほんの幾つかを示しているに過ぎない。例えば、図１乃至４に記載された実施形態は、上述の発光効果の組み合わせを形成し、いかなる言語においても文字、単語又は節として現れる発光効果を形成するために、直ちに変更及び組み合わせが可能である。同様に、当業者は、この開示が基礎とする思想が、本発明の幾つかの目的の一つ以上を実行する他の構造、方法及びシステムを設計する基礎として直ちに利用可能であることを理解するであろう。従って、請求の範囲は、本発明の本旨及び範囲から逸脱しないような均等の構成を含むものとみなされることが重要である。
【００２７】
このように、本発明の新規な特徴が好ましい実施形態に適用されるように図示、記載及び指摘されてきたが、本発明の本旨から逸脱せずに、開示された発明の形態と詳細の様々な省略、代替及び変更を当業者がなし得ることが理解されるであろう。従って、添付の請求の範囲の範囲によって示されるようにのみ限定される。
【００２８】
また、以下の請求の範囲は、ここに記載された本発明の一般的及び特定的な特徴及び言葉の問題としてそこに該当すると言われるであろう本発明の範囲の全ての記載を包含することが意図されているということを理解しなければならない。特に、本発明は、ここで開示された寸法、割合又は配置に限定されるものと解釈されてはならない。
【図１】
2005526554.tif 000003
【図２】
2005526554.tif 000004
【図３】
2005526554.tif 000005
【図４】
2005526554.tif 000006
【国際調査報告】
2005526554.tif 000007